(57)【要約】      （修正有）【課題】成形石ロックガーデンの耐久期間で、ロックガーデン内部構造を水の浸透危害から有効に保護することができる、新規の成形石ロックガーデン防水構造を提供する。【解決手段】ロックガーデン本体１５を備え、前記ロックガーデン本体内部には、複数組の支持鋼柱１７が設けられており、支持鋼柱の表面に支持材１８と型鋼がそれぞれ溶接されており、前記支持材の頂部には、支持板１９が設けられており、支持板の頂部には、音響機器２０が設けられており、前記型鋼の頂部には、照射ランプが設けられており、前記ロックガーデン本体の外部には、耐腐食細網が設けられており、耐腐食細網の外部には、鋼線網が設けられており、前記鋼線網の外部には、亜鉛めっき網面が設けられており、亜鉛めっき網面の外部には、防水構造層２３が設けられている。【選択図】図１
0003234413.tif 000002
【実用新案登録請求の範囲】
【請求項１】
ロックガーデン本体（１５）を備えた新規の成形石ロックガーデン防水構造であって、前記ロックガーデン本体（１５）内部には、複数組の支持鋼柱（１７）が設けられており、支持鋼柱（１７）の表面に支持材（１８）と型鋼（２１）がそれぞれ溶接されており、前記支持材（１８）の頂部には、支持板（１９）が設けられており、支持板（１９）の頂部には、音響機器（２０）が設けられており、前記型鋼（２１）の頂部には、照射ランプ（２２）が設けられており、前記ロックガーデン本体（１５）の外部には、耐腐食細網（９）が設けられており、耐腐食細網（９）の外部には、鋼線網（８）が設けられており、前記鋼線網（８）の外部には、亜鉛めっき網面（７）が設けられており、亜鉛めっき網面（７）の外部には、防水構造層（２３）が設けられており、
前記防水構造層（２３）は、亜鉛めっき網面（７）の外部に設けられた下地塗布層（１）を含み、前記下地塗布層（１）の外部には、防水エポキシコーティング境界流体（２）が設けられており、前記防水エポキシコーティング境界流体（２）の外部には、エポキシ防水層（３）が設けられており、前記エポキシ防水層（３）の外部には、石英砂スプレー塗装層（４）が設けられており、前記石英砂スプレー塗装層（４）の外部には、保護層（５）が設けられており、前記保護層（５）の外部には、彫刻層（６）が設けられており、
前記保護層（５）は、裏地網（１４）を含み、且つ裏地網（１４）の外部には、鋼網（１２）が設けられており、前記裏地網（１４）と鋼網（１２）との間には、空気圧スプレー密封層（１３）が設けられており、前記空気圧スプレー密封層（１３）の内部には、鉄筋（１１）及び低炭素鋼棒（１０）が設けられている、ことを特徴とする新規の成形石ロックガーデン防水構造。
【請求項２】
前記支持材（１８）の底部と支持鋼柱との間には、補強棒（１８１０）が傾斜して溶接されており、前記支持材（１８）の頂部には、ボルトと固定板とを介して支持棒（１９１０）が嵌合して設けられている、ことを特徴とする請求項１に記載の新規の成形石ロックガーデン防水構造。
【請求項３】
前記支持板（１９）の一側は、ボルトと固定板とを介して支持材（１８）に嵌合して結合されており、前記支持板（１９）の底部は、支持棒（１９１０）を介して支持材（１８）に接続されている、ことを特徴とする請求項１に記載の新規の成形石ロックガーデン防水構造。
【請求項４】
前記音響機器（２０）の外部には、防護ケース（２０１０）が設けられており、防護ケース（２０１０）は、支持板（１９）の頂部に接続されており、前記音響機器（２０）は、防護ケース（２０１０）を介して支持板（１９）の頂部に接続されている、ことを特徴とする請求項１に記載の新規の成形石ロックガーデン防水構造。
【請求項５】
前記照射ランプ（２２）の外側には、ボルトを介して取り付けフレーム（２２１０）が設けられており、取り付けフレーム（２２１０）底部は、ネジを介して型鋼（２１）頂部に接続されており、前記照射ランプ（２２）は、取り付けフレーム（２２１０）を介して型鋼（２１）に接続されている、ことを特徴とする請求項１に記載の新規の成形石ロックガーデン防水構造。
【請求項６】
前記ロックガーデン本体（１）の外部には、穴開け装飾面（１６）が設けられており、穴開け装飾面（１６）は、音響機器（２０）が設けられる位置と対応している、ことを特徴とする請求項１に記載の新規の成形石ロックガーデン防水構造。
【考案の詳細な説明】
【技術分野】
【０００１】
本考案は、ロックガーデン防水構造技術分野に関し、特に新規の成形石ロックガーデン防水構造に関する。
【背景技術】
【０００２】
庭園の中では、石を積み上げて作られ、造景を目的として構築された小山は、ロックガーデンという。ロックガーデンは、多方面の造景機能を持ち、例えば、庭園の主景又は地形構造を構成し、庭園空間を区画及び組織し、庭園、護岸、法面保護、土留めを配置し、自然式花壇を設置する。ロックガーデンの材料としては、２種類であり、１つは、天然の山石材料であり、人工石積み作業を行う際に、セメントを接着材料とし、コンクリートを基礎とするだけである。もう１つは、セメント混合モルタル、鋼線網又は低アルカリ度ガラス繊維セメントを材料とし、人工プラスチックオーバーモールド成形のロックガーデンであり、「成形石ロックガーデン」とも呼ばれる。
【０００３】
従来の成形石ロックガーデンの施工過程では、ロックガーデンに対する防水処理の効果は非常に限られており、施工過程でのエポキシ防水層が硬化した後、その表面層は滑らかで、後続の彫刻層と防水層とを有効に接着できず、しかも彫刻モルタルは、分割スリットがない場合、より開裂しやすく、長期間の使用過程において、ロックガーデン表皮の滲漏を招きやすく、引いてはロックガーデンの使用寿命にも影響を与える結果となっていた。 
【考案の概要】
【考案が解決しようとする課題】
【０００４】
本考案は、上記した従来技術の問題に鑑みなされたものであり、水の浸透危害を抑えることの可能な新規の成形石ロックガーデン防水構造を提供することを目的とする。
【課題を解決するための手段】
【０００５】
上記の目的を実現するために、本考案の用いる技術案は、以下のとおりである。
ロックガーデン本体を備えた新規の成形石ロックガーデン防水構造であって、前述ロックガーデン本体内部には、複数組の支持鋼柱が設けられおり、支持鋼柱の表面に支持材と型鋼がそれぞれ溶接されており、前記支持材の頂部には、支持板が設けられており、支持板の頂部には、音響機器が設けられており、前記型鋼の頂部には、照射ランプが設けられており、前記ロックガーデン本体の外部には、耐腐食細網が設けられており、耐腐食細網の外部には、鋼線網が設けられており、前記鋼線網の外部には、亜鉛めっき網面が設けられており、前記亜鉛めっき網面の外部には、防水構造層が設けられている。
【０００６】
前記防水構造層は、亜鉛めっき網面の外部に設けられた下地塗布層を含み、前記下地塗布層の外部には、防水エポキシコーティング境界流体が設けられており、前記防水エポキシコーティング境界流体の外部には、エポキシ防水層が設けられており、前記エポキシ防水層の外部には、石英砂スプレー塗装層が設けられており、前記石英砂スプレー塗装層の外部には、保護層が設けられており、前記保護層の外部には、彫刻層が設けられている。
前記保護層は、裏地網を含み、且つ裏地網の外部には、鋼網が設けられており、前記裏地網と鋼網との間には、空気圧スプレー密封層が設けられており、空気圧スプレー密封層の内部には、鉄筋及び低炭素鋼棒が設けられている。
【０００７】
好ましくは、前記支持材の底部と支持鋼柱との間には、補強棒が傾斜して溶接されており、前記支持材の頂部には、ボルトと固定板とを介して支持棒が嵌合して設けられている。
【０００８】
好ましくは、前記支持板の一側は、ボルトと固定板とを介して支持材に嵌合して結合されており、前記支持板の底部は、支持棒を介して支持材に接続されている。
【０００９】
好ましくは、前記音響機器の外部には、防護ケースが設けられており、防護ケースは、支持板の頂部に接続されており、前記音響機器は、防護ケースを介して支持板の頂部に接続されている。
【００１０】
好ましくは、前記照射ランプの外側には、ボルトを介して取り付けフレームが設けられており、取り付けフレーム底部は、ネジを介して型鋼頂部に接続されており、前記照射ランプは、取り付けフレームを介して型鋼に接続されている。
【００１１】
好ましくは、前記ロックガーデン本体の外部には、穴開け装飾面が設けられており、穴開け装飾面は、音響機器が設けられる位置と対応している。
【００１２】
従来技術に比べて、本考案の有益な効果は、以下の通りである。
工事山体の高さは４９．６Ｍであり、射影横方向の長さは約９０Ｍであり、縦向の深さは約５０Ｍであり、ロックガーデン表面積は約１２６９１．２６平方メートルであった。構造は、スチール製枠−中心支持体系を主とする。滝の防水領域は、両ロックガーデン体の中間内に位置し、且つロックガーデン体に嵌入し、ロックガーデン体の表面積が大きく、施工隙間がなく、建築部が均一に沈降し、ロックガーデン表皮の滲漏を防止するために、防水底層モルタルは、スプレー設備でスプレー工法を用いてスプレーし、底層モルタル工事を行うときに、強く圧密し、モルタルプラスタ層の密実度を保証し、表面層に対してカレンダー処理を行う。防水は、エポキシ可撓性防水を採用する。１回目は、スプレーを採用し、２回目の下塗りは、ローラブラシを採用する。施工を入念に施行し、すべてのコーティングに漏れがないことを保証する。防水表面層は、滑らかで摩擦力が小さく、２回目のエポキシ防水コーティングをスプレーした又は塗布した後（未硬化コーティング膜形成の前）に、空気圧土砂スプレーガンを用いて、防水コーティングの上に、洗浄乾燥した石英砂を均一に吹き付け、防水が硬化した後、厚さ１５ｍｍ以下の底層モルタルを用いて起毛保護を行う。防水層を形成した領域のモルタル厚さは、３０ｍｍ以下とする。このようにして、彫刻層が防水層と咬合できず、開裂脱落現象が発生しやすいという問題を解決することができ、ロックガーデンの滝の長期的な水流侵食下で、ロックガーデン内部を水の浸透から有効に保護し、耐久性を保証し、成形石ロックガーデンの耐久期間で、ロックガーデン内部構造を水の浸透危害から有効に保護することができる。
【図面の簡単な説明】
【００１３】
【図１】本考案における音響機器がロックガーデン本体内部に位置する構造概略図である（実施例１）。
【図２】本考案における照射ランプがロックガーデン本体に接続された構造概略図である。
【図３】図１における防水構造層の拡大図である。
【図４】図３における保護層の拡大図である。
【図５】図２における照射ランプと型鋼との接続構造概略図である。
【考案を実施するための形態】
【００１４】
以下、添付図面を参照して本考案の実施例を明瞭且つ完全に記述する。記載された実施例は、本考案の一部の実施例であり、全部の実施例でないことは言うまでもない。
【実施例１】
【００１５】
図１〜図５は本考案に係る新規の成形石ロックガーデン防水構造を示し、この新規の成形石ロックガーデン防水構造では、ロックガーデン本体１５の内部には、複数組の支持鋼柱１７が設けられており、支持鋼柱１７は、ロックガーデン本体１５の内部に異なる高さをして設けられており、支持鋼柱１７の表面には、支持材１８と型鋼２１がそれぞれ溶接されており、型鋼２１は、ＷＡＬＲＡＶＥＮ溝形鋼形材であり、支持材１８と型鋼２１は、異なる高さの異なる支持鋼柱１７上にそれぞれ設けられており、支持材１８の頂部には、支持板１９が設けられており、支持板１９の頂部には、音響機器２０が設けられており、音響機器２０は、造景のときに、音響効果の再生を容易にし、ロックガーデン本体１５の外部には、穴開け装飾面１６が設けられており、穴開け装飾面１６は、音響機器２０が設けられる位置と対応しており、音響機器２０の音の放送を容易にし、型鋼２１の上部には、照射ランプ２２が設けられており、照射ランプ２２から照射されるランプ光は、造景効果を向上させることができる。ロックガーデン本体１５の外部には、耐腐食細網９が設けられており、耐腐食細網９は燃えにくく、設置されるときに、鋼線網８と４０ｍｍの距離を保っており、耐腐食細網９の外部には、鋼線網８が設けられており、鋼線網８の厚さは８０ｍｍであり、鋼線網８の外部には、亜鉛めっき網面７が設けられており、亜鉛めっき網面７の周囲は１０ｍｍの鉄筋であり、内部は６．５ｍｍの鉄筋であり、１５０ｍｍの間隔で全面敷設しており、且つ亜鉛めっき網面７の外部には、防水構造層２３が設けられている。
【００１６】
防水構造層２３は、亜鉛めっき網面７の外部に設けられた下地塗布層１を含み、下地塗布層１の目的は、比較的大きい空隙を充填することであり、下地塗布層１の外部には、防水エポキシコーティング境界流体２が設けられており、防水エポキシコーティング境界流体２の外部には、エポキシ防水層３が設けられており、エポキシ防水層３の外部には、石英砂スプレー塗装層４が設けられており、防水層表面摩擦力の問題を解決するために、エポキシ防水層３に石英砂を付けて、後続の彫刻層６と起毛層との咬合力を増加し、石英砂スプレー塗装層４の外部には、保護層５が設けられており、保護層５の外部には、彫刻層６が設けられており、彫刻層６の平均厚さは５５ｍｍである。
【００１７】
保護層５は、裏地網１４を含み、裏地網１４は、不燃のものであり、腐食せず、鉄筋１１の裏面に縛られることにより、鉄筋１１と７５ｍｍの空隙があり、また、裏地網１４の外部には、鋼網１２が設けられており、裏地網１４と鋼網１２との間には、空気圧スプレー密封層１３が設けられており、空気圧スプレー密封層１３の総厚さは、１５０ｍｍであり、裏地網１４と鉄筋１１との７５ｍｍの空隙に覆いかぶさり、且つ空気圧スプレー密封層１３の内部には、鉄筋１１及び低炭素鋼棒１０が設けられている。
【００１８】
支持材１８の底部と支持鋼柱との間には、補強棒１８１０が傾斜して溶接されており、支持材１８の頂部には、ボルトと固定板とを介して支持棒１９１０が嵌合して設けられており、支持板１９の一側は、ボルトと固定板とを介して支持材１８に嵌合して結合されており、支持板１９の底部は、支持棒１９１０を介して支持材１８に接続されており、音響機器２０の外部には、防護ケース２０１０が設けられており、防護ケース２０１０は、支持板１９の頂部に接続されており、音響機器２０は、防護ケース２０１０を介して支持板１９の頂部に接続されており、照射ランプ２２の外側には、ボルトを介して取り付けフレーム２２１０が設けられており、取り付けフレーム２２１０底部は、ネジを介して型鋼２１頂部に接続されており、照射ランプ２２は、取り付けフレーム２２１０を介して型鋼２１に接続されている。上記構成によれば、音響機器２０及び照射ランプ２２の安定した取り付けを容易にする役割を果たしている。
【００１９】
図３〜４によれば、本考案の施工工法は、下地塗布層１、防水エポキシコーティング境界流体２、２回塗布のエポキシ防水層３、石英砂スプレー塗装層４、保護層５、彫刻層６の工程の順に従って施工されている。
【００２０】
６５ｍｍの設計厚さは、現場の芸術指導に従って成形と整理し、袋詰め彫刻モルタル専用モルタルスプレー設備を用いて、現場で撹拌スプレーし、下地塗布層１の施工を完成させる。
【００２１】
既に養生に合格し、きれいに洗浄し、且つ含水率が標準に達した光沢セメント下地塗布層１の上に、防水エポキシコーティング境界流体２を塗布する。防水層を有するロックガーデン底層１の塗装面は、必ず圧密して平らにならす必要がある。
【００２２】
防水エポキシコーティング境界流体２は、１２時間完全乾燥後に、エポキシ防水コーティング液３を塗布し、エポキシ防水コーティング液３をローラーブラシ又はブラシで２層塗装し、各層の間隔時間は、１２ｈ以上である。
【００２３】
２回目の防水コーティング３をスプレーした又は塗布した後、防水コーティング３のコーティング膜形成前に、ホッパー式スプレーガンを用いてきれいな石英砂スプレー塗装層４をスプレーし、防水コーティング３に嵌入させ、石英砂スプレー塗装層４のスプレー表面層を均一にする必要がある。
【００２４】
石英砂スプレー塗装層４の防水表面層３には、底層モルタル機械を用いて防水保護層５をスプレーして起毛処理を行い、防水保護層５に対して厚さ１５ｍｍの起毛処理を行う。
防水保護層５上に、彫刻層６のスプレー塗装及び彫刻を行い、彫刻層６のモルタル厚さを３０ｍｍ以内、２５ｍｍ以上に抑えられるようにする。
【００２５】
上記実施例は、本考案の好ましい実施形態であるが、本考案を限定することを意図されていない。本考案の精神および原理から逸脱することなくなされるいかなる変更、修正、置換、組み合わせ又は簡略化も等価の置換方式であり、いずれも本出願の保護範囲内に含まれるものとする。
【００２６】
本考案の説明において、方向または位置関係を示す用語は、図面に示す方位又は位置関係に基づき、本考案を便利にまたは簡単に説明するために使用されるものであり、指定された装置又は要素が特定の方位にあり、特定の方位において構造され操作されることを指示又は暗示するものではないので、本考案を限定するものであると解釈されるべきでない。
【符号の説明】
【００２７】
１  下地塗布層
２  防水エポキシコーティング境界流体
３  エポキシ防水層
４  石英砂スプレー塗装層
５  保護層
６  彫刻層
７  亜鉛めっき網面
８  鋼線網
９  耐腐食細網
１０  低炭素鋼棒
１１  鉄筋
１２  鋼網
１３  空気圧スプレー密封層
１４  裏地網
１５  ロックガーデン本体
１６  穴開け装飾面
１７  支持鋼柱
１８  支持材
１８１０  補強棒
１９  支持板
１９１０  支持棒
２０  音響機器
２０１０  防護ケース
２１  型鋼
２２  照射ランプ
２２１０  取り付けフレーム
２３  防水構造層  
【図１】
0003234413.tif 000003
【図２】
0003234413.tif 000004
【図３】
0003234413.tif 000005
【図４】
0003234413.tif 000006
【図５】
0003234413.tif 000007